(57)【要約】      （修正有）【課題】被挿入物を転倒することなく起立させることができる台を簡易に組み立てられる組立用シートを提供する。【解決手段】山折りまたは谷折りの複数の折り曲げ指示線Ｂ〜Ｊを介して底面７、側面６、天面５、側面４、折込面３が順次連設した帯状のシートを折り曲げ指示線Ｂ〜Ｊに従い折る。天面５には、挿し込み孔８が設けられ、折込面３には、天面の挿し込み孔８から挿入された被挿入物の下部を支持する支持用孔９が設けられ、底面７と折込面３とが接合させて組立てた台は、被挿入物を転倒することなく起立させることができる。【選択図】図１
0003207237.tif 000002
【実用新案登録請求の範囲】
【請求項１】
帯状に形成され、
山折りまたは谷折りの複数の折り曲げ指示線を介して底面、側面、天面、側面、折込面が順次連設し、
前記天面には、挿し込み孔が設けられ、
前記折込面には、前記天面の挿し込み孔から挿入された被挿入物の下部を支持する支持用孔が設けられ、
前記底面と前記折込面とが接合される組立用シート。
【請求項２】
前記被挿入物は、生花の茎、幹、または枝が差し込まれ、水を収容する容器である請求項１記載の組立用シート。
【請求項３】
前記底面と前記折込面とを接合するための接合指示部が設けられている請求項１または請求項２記載の組立用シート。
【請求項４】
前記天面は凹面となり、前記折込面は凸面となり、前記折込面が前記天面よりも幅広となるように前記折り曲げ指示線が設けられている請求項１から３いずれか一項に記載の組立用シート。
【請求項５】
前記天面と前記折込面には、前記挿し込み孔と前記支持用孔を形成するための切り込み指示線がそれぞれ設けられ、
前記被挿入物を前記挿し込み孔及び前記支持用孔に挿入したときに、当該各孔の内周面と当該被挿入物の外周面とが係合する大きさになるよう前記切り込み指示線が設けられている請求項１から４のいずれか一項に記載の組立用シート。
【請求項６】
前記折込面は、
前記支持用孔を設けるための支持用孔面と当該支持用孔面を補強するための補強面とが、山折りの折り曲げ指示線を介して連設され、
当該補強面を介して当該支持用孔面と前記底面が一体となるように接合されている請求項１から５のいずれか一項に記載の組立用シート。
【請求項７】
請求項１から７のいずれか一項に記載の組立用シートから組立てられる台。
【考案の詳細な説明】
【技術分野】
【０００１】
本考案は、被挿入物を転倒することなく起立させることができる台を簡易に組み立てられる組立用シート及び台に関するものである。
【背景技術】
【０００２】
被挿入物を転倒することなく起立させるためには、被挿入物の上部だけではなく、被挿入物の下部もしっかりと固定され、安定した状態で保持できることが望ましい。
【０００３】
特許文献１には、水入れ容器を差し込んで立てた状態に保持するための花立用孔が形成された考案が開示されている。
【先行技術文献】
【特許文献】
【０００４】
【特許文献１】実用新案登録第３００１８２５号公報
【考案の概要】
【考案が解決しようとする課題】
【０００５】
特許文献１に記載の外箱容器は、花立用孔に差し込んだ水入れ容器の安定性が低いという問題点がある。すなわち、容器に差し込まれた生花の重さによって、生花や容器が倒れるなどにより、生花を長時間飾っておくことが困難である。
【０００６】
本考案は、上記の問題点に鑑みてなされたものであり、一枚の組立用シートから被挿入物を転倒することなく安定した状態で保持することができる台を簡易に組み立てることができる組立用シートを提供することを目的とする。たとえば、本考案によれば、水の入った容器に生花を差し込み、それを組み立てた台に挿入することで、生花の風合いを損なわずに、簡易に一輪ないし複数の生花を安定して飾ることができる。
【課題を解決するための手段】
【０００７】
本考案は、以下の組立用シート及び台に関する。
［１]帯状に形成され、山折りまたは谷折りの複数の折り曲げ指示線を介して底面、側面、天面、側面、折込面が順次連設し、前記天面には、挿し込み孔が設けられ、前記折込面には、前記天面の挿し込み孔から挿入された被挿入物の下部を支持する支持用孔が設けられ、前記底面と前記折込面とが接合される組立用シート。
［２］前記被挿入物は、生花の茎、幹、または枝が差し込まれ、水を収容する容器である［１］記載の組立用シート。
［３］前記底面と前記折込面とを接合するための接合指示部が設けられている[１]または［２］記載の組立用シート。
［４］前記天面は凹面となり、前記折込面は凸面となり、前記折込面が前記天面よりも幅広となるように前記折り曲げ指示線が設けられている［１］から［３］いずれか一項に記載の組立用シート。
［５］前記天面と前記折込面には、前記挿し込み孔と前記支持用孔を形成するための切り込み指示線がそれぞれ設けられ、前記被挿入物を前記挿し込み孔及び前記支持用孔に挿入したときに、当該各孔の内周面と当該被挿入物の外周面とが係合する大きさになるよう前記切り込み指示線が設けられている［１］から［４］のいずれかに記載の組立用シート。
［６］前記折込面は、前記支持用孔を設けるための支持用孔面と当該支持用孔面を補強するための補強面とが、山折りの折り曲げ指示線を介して連設され、前記補強面を介して前記支持用孔面と前記底面が一体となるように接合されている［１］から［５］のいずれか一項に記載の組立用シート。
［７］［１］から［７］のいずれか一項に記載の組立用シートから組立てられる台。
【考案の効果】
【０００８】
本考案によれば、一枚の組立用シートから被挿入物を転倒することなく安定した状態で保持することができる台を簡易に組み立てることができる。たとえば、本考案によれば、水の入った容器に生花を差し込み、それを組み立てた台に挿入することで、生花の風合いを損なわずに、簡易に一輪ないし複数の生花を飾ることができる。
【図面の簡単な説明】
【０００９】
【図１】図１は実施例１を示した平面図である。図中の一点鎖線は谷折り指示線、破線は山折り指示線、実線は切り込み線、二重線は係合指示部である。（図３、図５及び図６において、以下同じ。）
【図２Ａ】図２Ａは実施例１の組立て方法を示した説明図である。図中の二重線は、係合指示部である。（図２ＢからＦにおいて、以下同じ。）
【図２Ｂ】図２Ｂは実施例１の組立て方法を示した説明図である。
【図２Ｃ】図２Ｃは実施例１の組立て方法を示した説明図である。なお、組立て過程でホチキス留めをした部分は、太い実線で表される。（図２ＤからＧにおいて、以下同じ。）
【図２Ｄ】図２Ｄは実施例１の組立て方法を示した説明図である。
【図２Ｅ】図２Ｅは実施例１の組立て方法を示した説明図である。
【図２Ｆ】図２Ｆは実施例１の組立て方法を示した説明図である。
【図２Ｇ】図２Ｇは実施例１の組立て方法を示した説明図である。
【図３】図３は実施例２を示した平面図である。
【図４Ａ】図４Ａは実施例２の組立て方法を示した説明図である。図中の二重線は、係合指示部である。（図４ＢからＥにおいて、以下同じ。）
【図４Ｂ】図４Ｂは実施例２の組立て方法を示した説明図である。
【図４Ｃ】図４Ｃは実施例２の組立て方法を示した説明図である。
【図４Ｄ】図４Ｄは実施例２の組立て方法を示した説明図である。
【図４Ｅ】図４Ｅは実施例２の組立て方法を示した説明図である。
【図４Ｆ】図４Ｆは実施例２の組立て方法を示した説明図である。なお、組立て過程でホチキス留めをした部分は、太い実線で表される。
【図５】図５は実施例１の組立用シートの作成用のＡ３サイズの台紙を示した平面図である。
【図６】図６は実施例２の組立用シートの作成用のＡ４サイズの台紙を示した平面図である。
【図７】図７は実施例１のシートを組立てた台の側面略図である。台として組立られた際は、ＡとＦとＫ、ＥとＪとは実際には一体となる。
【図８】図８は実施例２のシートを組立てた台の側面略図である。台として組立てられた際は、ＡとＩ、ＥとＪとは実際には一体となる。
【考案を実施するための形態】
【００１０】
本考案は、（１）帯状に形成され、（２）山折りまたは谷折りの複数の折り曲げ指示線を介して底面、側面、天面、側面、折込面が順次連設し、（３）前記天面には、挿し込み孔が設けられ、（４）前記折込面には、前記天面の挿し込み孔から挿入された被挿入物の下部を支持する支持用孔が設けられ、（５）前記底面と前記折込面とが接合される構成のものである。以下、各構成について、詳細に説明する。
【００１１】
本考案は、帯状に形成されていればよく、組立用シートの長手方向の辺は、直線には限定されない。例えば、波線であったり、その他の装飾が施されてあってもよい。天面と折込面に設ける孔は、組立用シートに十字に切り込みを入れることにより形成することに限定されない。例えば、６本ないしそれ以上の切り込みを入れて形成してもよい。また、複数の被挿入物を挿入支持できるように挿し込み孔と支持用孔を複数設けてもよい。また、折込面は、支持用孔面を補強するための補強面をさらに備えたものが望ましく、組立てられた組立用シートの下部は、３枚が接合されている状態となることが望ましい。ただし、底面と折込面の２枚が接合されるように組立用シートを構成してもよい。また、底面の接合は、ホチキス留めの外、糊付けや接着部材で行ってもよい。接合指示部は、その数や形状などは特に限定されない。ホチキス留めの指示線であったり、糊付け指示などであってもよい。
また、底面の中心線を山折りにして、台をコンパクトに収納することもできる。底面を折った状態から被挿入物を挿し込み孔から挿入することで、台が広がり、被挿入物の下部を支持用孔が支持して、被挿入物が転倒することなく安定して起立させることができる。
【００１２】
組立用シートの素材は、特に限定されない。例えば、紙、プラスチック・シリコン・アクリル・ポリカーボネードなどの樹脂製の素材、紙と金属が張り合わされた素材、紙と布が張り合わされた素材、紙と陶器・磁器が張り合わされた素材、樹脂製の素材と金属が張り合わされた素材、樹脂製の素材と布が張り合わされた素材、または樹脂製の素材と陶器・磁器が張り合わされた素材などでもよい。
【００１３】
被挿入物は、形状、材質及び用途は特に限定されない。例えば、プラスチック製の筒状形状のものや、ガラス製試験管などであってもよい。容器に水を入れて生花を飾る用途以外にも、プリザーブドフラワーや生花以外の植物や種子などを飾る用途に使用してもよい。
【００１４】
また、側面に、切り込みや穴開け加工などを施したり、情報を印刷して情報伝達媒体とすることも可能である。また、帯状の組立用シートは、Ａ３サイズの外Ａ４サイズやＢ４サイズ等の印刷の基本サイズから短辺を１/２または１/３サイズ、長辺を１/１サイズとして一枚の台紙から複数の組立用シート及び台を作成することができる。そうすることで、より安価に本考案に係る組立用シート及び台を作成することができる。
【００１５】
以下、本考案について実施例を参照して詳細に説明するが、本考案はこれらの実施例により限定されない。
【実施例】
【００１６】
［実施例１］
Ａ３サイズの用紙の短辺を１／２にカットした組立用シートを用意した（図１）。組立用シートには、山折りまたは谷折りの指示線が設けられている。このように、帯状の組立用シートは、Ａ３用紙の外Ａ４用紙やＢ４用紙等の紙の基本サイズから短辺を１／２または１／３サイズ、長辺を１／１サイズとした組立用シートから作成することができる。そうすることで、より安価に本考案に係る組立用シートを作成することができる。
【００１７】
図１の通り、長辺に対して垂直方向の線の短辺をＡ辺ないしＫ辺とし、Ａ辺から平行に谷折り指示線Ｂ（Ａ辺〜Ｂ辺の間は２０ｍｍ）、山折り指示線Ｃ（Ｂ辺〜Ｃ辺の間は２５ｍｍ）、谷折り指示線Ｄ（Ｃ辺〜Ｄ辺の間は２５ｍｍ）、山折り指示線Ｅ（Ｄ辺〜Ｅ辺の間は２０ｍｍ）、山折り指示線Ｆ（Ｅ辺〜Ｆ辺の間は７５ｍｍ）、山折り指示線Ｇ（Ｆ辺〜Ｇ辺の間は８０ｍｍ）、谷折り指示線Ｈ（Ｇ辺〜Ｈ辺の間は１０ｍｍ）、山折り指示線Ｉ（Ｈ辺〜Ｉ辺の間は１０ｍｍ）、山折り指示線Ｊ（Ｉ辺〜Ｊ辺の間は８０ｍｍ、Ｊ辺〜Ｋ辺の間は７５ｍｍ）の順に山折りまたは谷折り指示線が配置されている。
【００１８】
そして、Ａ辺とＢ辺の間と、Ｄ辺とＥ辺の間に長辺と平行方向に接合指示部１１が組立用シートの内側と外側にそれぞれ２線、合計各４線設けられている。
Ｅ辺とＦ辺の間に、Ｅ辺を介して組立用シートを組み立てたときに、Ａ辺とＢ辺の間、Ｄ辺とＥ辺の間の内側にそれぞれ設けた接合指示部１１と重なり合うように接合指示部１１が４線設けられている。
Ｊ辺とＫ辺の間に、組立用シートを組み立てたときに、Ａ辺とＢ辺の間、Ｄ辺とＥ辺の間の外側にそれぞれ設けた接合指示部１１と重なり合うように接合指示部１１が４線設けられている。
【００１９】
Ｂ辺からＤ辺の間には、支持用孔９を形成するための切り込み指示線及び谷折り指示線が設けられている。Ｃ辺の中心点から左右が同じ長さの線と、当該線と直行し、Ｃ辺上の線よりも長い切り込み指示線が設けられている。切り込み指示線の４つの頂点を結ぶ４線を谷折り指示線とし、切り込み及び谷折りをすることで支持用孔９を形成することができる。
Ｇ辺からＩ辺の間には、挿し込み孔８の切り込み指示線及び谷折り指示線が設けられている。Ｈ辺の中心点から左右が同じ長さの線と、当該線と直行する切り込み指示線を設ける。切り込み指示線の４つの点と点とを結ぶ４線を谷折り指示線とし、切り込み及び谷折りをすることで挿し込み孔８を形成することができる。
このように支持用孔９と挿し込み孔８を形成することで、被挿入物１０を挿し込み孔８及び支持用孔９に挿入したときに、当該各孔の内周面と当該被挿入物１０の外周面とが係合させることができ、転倒することなく安定して被挿入物１０を起立させることができる。
【００２０】
次に、組立て方法を説明する。Ｂ辺、Ｃ辺、Ｄ辺を指示通り折り、凸面の支持用孔面１を形成する（図２Ａ）。そして、Ｅ辺を１８０度山折りして支持用孔面１の補強面２を形成する（図２Ｂ）。支持用孔面１に設けられた支持用孔９を形成するための切り込み指示線に従い切り込みを入れてから、谷折り指示線に従い折ることで支持用孔９を形成する。そして、Ｆ辺とＡ辺が重なりあうように合わせて、接合指示部１１に沿ってホチキス留め１２をし、支持用孔面１と補強面２とが接合された折込面３を形成する。さらに、Ｆ辺を山折りにして、側面４を形成する（図２Ｃ）。
【００２１】
次にＧ辺を山折りにして、天面５を形成する（図２Ｄ）。Ｈ辺、Ｉ辺を指示通り折り、凹面の天面５と、側面６を形成する。天面５に設けられた挿し込み用孔を形成するための切り込み指示線に従い切り込みを入れてから谷折り指示線に従い折ることで挿し込み用孔を形成する（図２Ｅ）。
次に、Ｊ辺を山折りにして、折込面３と接合する底面７を形成する（図２Ｆ）。そして接合指示部に沿って、折込面３と底面５をホチキス留めをすることで、一枚の組立用シートから被挿入物１０を挿入するための台を形成することができる（図２Ｇ）。
台の側面が開口しているので、被挿入物１０が透明または半透明の物である場合、被挿入物１０の中身の状態を被挿入物１０を挿入したままで確認することができる。
【００２２】
［実施例２］
Ａ４サイズの用紙の短辺を１／３にカットした組立用シートを用意した。組立用シートには、山折りまたは谷折りの指示線が設けられている。このように、帯状の組立用シートは、Ａ３用紙の外Ａ４用紙やＢ４用紙等の紙の基本サイズから短辺を１/２または１/３サイズ、長辺を１/１サイズとした組立用シートから作成することができる。そうすることで、より安価に本考案に係る組立用シートを作成することができる。
【００２３】
図３の通り、長辺に対して垂直方向の線の短辺をＡ辺ないしＪ辺とし、Ａ辺から平行に山折り指示線Ｂ（Ａ辺〜Ｂ辺の間は１５ｍｍ）、谷折り指示線Ｃ（Ｂ辺〜Ｃ辺の間は１９．５ｍｍ）、山折り指示線Ｄ（Ｃ辺〜Ｄ辺の間は１９．５ｍｍ）、山折り指示線Ｅ（Ｄ辺〜Ｅ辺の間は１５ｍｍ）、山折り指示線Ｆ（Ｅ辺〜Ｆ辺の間は７４ｍｍ）、谷折り指示線Ｇ（Ｆ辺〜Ｇ辺の間は１０ｍｍ）、山折り指示線Ｈ（Ｇ辺〜Ｈ辺の間は１０ｍｍ）、山折り指示線Ｉ（Ｈ辺〜Ｉ辺の間は７４ｍｍ、Ｉ辺〜Ｊ辺の間は６０ｍｍ）の順に山折りまたは谷折り指示線を配置している。
【００２４】
そして、Ａ辺とＢ辺の間と、Ｄ辺とＥ辺の間に長辺と平行方向に接合指示部１１を組立用シートにそれぞれ２線設ける。
Ｉ辺とＪ辺の間に、Ａ辺とＩ辺、Ｅ辺とＪ辺が合わさるように組立用シートを組み立てたときに、Ａ辺とＢ辺の間、Ｄ辺とＥ辺の間にそれぞれ設けた接合指示部１１と重なり合うように接合指示部を４線設ける。
【００２５】
Ｂ辺からＤ辺の間には、支持用孔９を形成するための切り込み指示線及び山折り指示線が設けられている。Ｃ辺の中心点から左右が同じ長さの線と、当該線と直行し、Ｃ辺上の線よりも長い切り込み指示線が設けられている。切り込み指示線の４つの頂点を結ぶ４線を山折り指示線とし、切り込み及び山折りをすることで支持用孔９を形成することができる。
Ｆ辺からＨ辺の間には、挿し込み孔８の切り込み指示線及び谷折り指示線が設けられている。Ｇ辺の中心点から左右が同じ長さの線と、当該線と直行する切り込み指示線を設ける。切り込み指示線の４つの点と点とを結ぶ４線を谷折り指示線とし、切り込み及び谷折りをすることで挿し込み孔８を形成することができる。
被挿入物１０を挿し込み孔８及び支持用孔９に挿入したときに、当該各孔の内周面と当該被挿入物１０の外周面とが係合させることができ、転倒することなく安定して被挿入物１０を起立させることができる。
【００２６】
次に、組立て方法を説明する。Ｂ辺、Ｃ辺、Ｄ辺を指示通り折り、凸面の支持用孔面１（折込面３）を形成する（図４Ａ）。支持用孔面１（折込面３）に設けられた支持用孔９を形成するための切り込み指示線に従い切り込みを入れてから、山折り指示線に従い折ることで支持用孔９を形成する。そして、Ｅ辺を山折りして側面４を形成する（図４Ｂ）。
【００２７】
次にＦ辺を山折りにして、天面５を形成する（図４Ｃ）。Ｇ辺、Ｈ辺を指示通り折り、凹面の天面５と、側面６を形成する。天面５に設けられた挿し込み用孔８を形成するための切り込み指示線に従い切り込みを入れてから谷折り指示線に従い折ることで挿し込み用孔８を形成する（図４Ｄ）。
次に、Ｉ辺を指示通り折り、支持用孔面１（折込面３）と接合する底面７を形成する（図４Ｅ）。そして接合指示部１１に沿って、支持用孔面１（折込面３）と底面５をホチキス留めをすることで、一枚の組立用シートから被挿入物１０を挿入するための台を形成することができる（図４Ｆ）。
台の側面が開口しているので、被挿入物１０が透明または半透明の物である場合、被挿入物１０の中身の状態を被挿入物１０を挿入したままで確認することができる。
【産業上の利用可能性】
【００２８】
本考案の組立用シートは、一枚の組立用シートから被挿入物を転倒することなく安定した状態で保持することができる台を簡易に組み立てることができる。たとえば、本考案によれば、水の入った容器に生花を差し込み、それを本考案により得られた組み立てた台に挿入することで、生花の風合いを損なわずに、簡易に一輪ないし複数の生花を安定して飾ることができるものとして有用である。
【符号の説明】
【００２９】
１    支持用孔面
２    補強面
３    折込面
４    側面
５    天面
６    側面
７    底面
８    挿し込み孔
９    支持用孔
１０    被挿入物
１１    接合指示部
【図２Ａ】
0003207237.tif 000003
【図２Ｂ】
0003207237.tif 000004
【図２Ｃ】
0003207237.tif 000005
【図２Ｄ】
0003207237.tif 000006
【図２Ｅ】
0003207237.tif 000007
【図２Ｆ】
0003207237.tif 000008
【図２Ｇ】
0003207237.tif 000009
【図４Ａ】
0003207237.tif 000010
【図４Ｂ】
0003207237.tif 000011
【図４Ｃ】
0003207237.tif 000012
【図４Ｄ】
0003207237.tif 000013
【図４Ｅ】
0003207237.tif 000014
【図４Ｆ】
0003207237.tif 000015
【図５】
0003207237.tif 000016
【図６】
0003207237.tif 000017
【図７】
0003207237.tif 000018
【図８】
0003207237.tif 000019
【図１】
0003207237.tif 000020
【図３】
0003207237.tif 000021
【手続補正書】
【提出日】平成28年8月23日(2016.8.23)
【手続補正１】
【補正対象書類名】実用新案登録請求の範囲
【補正対象項目名】請求項７
【補正方法】変更
【補正の内容】
【請求項７】
請求項１から６のいずれか一項に記載の組立用シートから組立てられる台。